(57)【要約】【課題】本発明は、ＲＦＩＤタグとそれを用いた管理システムに関するもので、ＲＦＩＤタグの損傷を抑制することを目的とするものである。【解決手段】そしてこの目的を達成するために本発明は、アンテナ２５、２６と、このアンテナ２５、２６の制御素子実装部２７に実装された制御素子とを備え、アンテナ２５、２６は、一端側が制御素子実装部２７に接続され、他端側が短絡された複数の引出部２５ａ、２５ｂ、２６ａ、２６ｂと、これらの引出部２５ａ、２５ｂ、２６ａ、２６ｂから延長された延長部２５ｃ、２６ｃとを有する構造としたものであるので、ＲＦＩＤタグ２の損傷を抑制することができる。【選択図】図３
2009217670.tif 000002
【特許請求の範囲】
【請求項１】
アンテナと、このアンテナの制御素子実装部に実装された制御素子とを備え、前記アンテナは、一端側が前記制御素子実装部に接続され、他端側が短絡された複数の引出部と、この引出部から延長された延長部とを有するＲＦＩＤタグ。
【請求項２】
制御素子実装部の第一、第二の接続端子間に制御素子を接続するとともに、前記第一、第二の接続端子それぞれにアンテナを接続した請求項１に記載のＲＦＩＤタグ。
【請求項３】
制御素子実装部の第一、第二の接続端子に接続したアンテナの引出部で、第一、第二の接続端子間が開口したロの字状の整合回路を形成した請求項１または２に記載のＲＦＩＤタグ。
【請求項４】
整合回路に接続された引出部は、この引出部の延長部側よりも線幅を広くした請求項１〜３のいずれか一つに記載のＲＦＩＤタグ。
【請求項５】
制御素子実装部の両側に設けたアンテナの延長部をメアンダ状とし、これら両側の延長部は点対称形状とした請求項２〜４のいずれか一つに記載のＲＦＩＤタグ。
【請求項６】
請求項１〜５のいずれか一つに記載のＲＦＩＤタグと、このＲＦＩＤタグと交信する制御器とを有する管理システム。
【発明の詳細な説明】
【技術分野】
【０００１】
本発明は、生産管理、物流管理、物品管理等に用いられるＲＦＩＤタグと、それを用いた管理システムに関するものである。
【背景技術】
【０００２】
ＲＦＩＤタグは、個別識別情報を記憶することができる制御素子を有するので、このＲＦＩＤタグを用いて生産管理、物流管理、物品管理等を行う管理システムが提案されている。
【０００３】
すなわち、ＲＦＩＤタグを管理物品に貼り付けておけば、制御器とＲＦＩＤタグとの交信により、個々の管理物品の所在を確認することができるので、管理物品の管理が大幅に効率化されるものである。なお、これに類似する先行文献としては、例えば下記特許文献１がある。
【特許文献１】特開２００５−２２７８１８号公報
【発明の開示】
【発明が解決しようとする課題】
【０００４】
上記従来例における課題は、ＲＦＩＤタグを貼付した管理物品が、例えば洗濯物であった場合に、これの洗濯時、またはアイロンがけ時に加わる過負荷により、ＲＦＩＤタグが損傷してしまうことであった。
【０００５】
すなわち、クリーニング業者においても、その洗濯物の管理にＲＦＩＤタグを利用すれば、その管理が非常に効率化されるため、積極的に活用しようと考えているが、この洗濯作業では洗濯、アイロンがけ時に、繰り返し曲げ応力、加圧、加熱等の負荷がＲＦＩＤタグに加わることになる。
【０００６】
ここで、ＲＦＩＤタグは、アンテナと、このアンテナの制御素子実装部に実装された制御素子とを備え、アンテナは、その一端側が制御素子実装部に接続され、他端側が外方に延長された構造となっていた。
【０００７】
そしてこのような構造において、繰り返し曲げ応力、加圧、加熱等の負荷が加わると、特にアンテナの一端側で、制御素子実装部への接続部に応力が集中するためか、この部分で断線が多発し、結論としてＲＦＩＤタグが損傷してしまうのであった。
【０００８】
そこで本発明は、ＲＦＩＤタグの損傷を抑制することを目的とするものである。
【課題を解決するための手段】
【０００９】
そしてこの目的を達成するために本発明は、アンテナと、このアンテナの制御素子実装部に実装された制御素子とを備え、アンテナは、一端側が制御素子実装部に接続され、他端側が短絡された複数の引出部と、この引出部から延長された延長部とを有する構造とし、これにより所期の目的を達成するものである。
【発明の効果】
【００１０】
以上のごとく本発明は、アンテナと、このアンテナの制御素子実装部に実装された制御素子とを備え、アンテナは、一端側が制御素子実装部に接続され、他端側が短絡された複数の引出部と、この引出部から延長された延長部とを有する構造としたものであるので、ＲＦＩＤタグの損傷を抑制することができる。
【００１１】
すなわち、本発明のＲＦＩＤタグは、そのアンテナの構造を、一端側が制御素子実装部に接続され、他端側が短絡された複数の引出部と、この引出部から延長された延長部とを有する構造としたものであるので、負荷により断線しやすいアンテナの引出部が複数となったことで、この断線が発生しにくく、その結果としてＲＦＩＤタグの損傷を抑制することができるのである。
【発明を実施するための最良の形態】
【００１２】
以下本発明の実施の形態を、添付図面を用いて説明する。
【００１３】
（実施の形態）
図１において、１は例えばクリーニング業者が集荷した洗濯物等の管理物品で、この管理物品１は図示していないが、その後クリーニング業者により洗濯機に投入され、その後アイロンがけが行われる。
【００１４】
さてこの管理物品１は本実施の形態では、上述のごとく洗濯物であって不特定多数から集荷されたものであるが、洗濯時には一度に多数の管理物品１が洗濯機に投入されるので、管理が非常に煩雑となる。
【００１５】
そこで本実施の形態では、この図１に示すように、ＲＦＩＤタグ２が、例えば安全ピン（図示せず）を利用して各管理物品１に着脱自在に取付けられている（実際は衣服の裏面側に取付られるが、理解を助けるために、図１では衣服の表面に取付けている）。
【００１６】
各管理物品１に貼付されたＲＦＩＤタグ２には、図２に示すように制御素子３が搭載され、この制御素子３には個別識別情報を記憶する記憶部３ａが内蔵されている。
【００１７】
各管理物品１に貼付されたＲＦＩＤタグ２は、それが取付けられた管理物品１毎の個別識別情報（例えば顧客名、洗濯物区分、依頼日等）が、受付時に、その制御素子３の記憶部３ａに記憶されており、これにより、例えば「顧客Ｃさんの洗濯物Ｄが現在どこにあるのか」が、管理されるようになっている。
【００１８】
その管理を行うのが図１に示す制御器４で、この制御器４は、そのリーダーライタ５を介してＲＦＩＤタグ２と交信し、その内部に設けた記憶部３ａに記憶された個別識別情報を読み取り、管理するようになっている。
【００１９】
図２は、制御器４のリーダーライタ５と、ＲＦＩＤタグ２の電気的なブロック図を示し、先ず制御器４からの指示によりリーダーライタ５の制御部６から、洗濯、アイロンがけ後の複数の管理物品１の各ＲＦＩＤタグ２に例えば「顧客Ｃさんの洗濯物Ｄは存在するか？」と言う問い合わせが行われる。
【００２０】
この問い合わせ信号は、変調回路７により、９５３ＭＨｚの搬送波を変調し、送信回路８、アンテナ９を介して各管理物品１のＲＦＩＤタグ２に向け出力される。
【００２１】
各ＲＦＩＤタグ２は、そのアンテナ部１０で問い合わせ信号を受信し、ダイオード１１とコンデンサ１２で、アンテナ９からの信号の搬送波からＤＣ電圧を発生させ、この発生したＤＣ電圧により、制御回路１３、復調回路１４、変調回路１５、記憶部３ａを起動する。
【００２２】
すると、制御回路１３からの指示で復調回路１４は、受信信号から上記「顧客Ｃさんの洗濯物Ｄは存在するか？」と言う問い合わせを復調する。
【００２３】
また、制御回路１３は、復調回路１４への指示と同時に、記憶部３ａに対して記憶している個別識別情報を聞き出している。
【００２４】
記憶部３ａに記憶された個別識別情報が「顧客Ｃさんの洗濯物Ｄ」である管理物品１に取付けられたＲＦＩＤタグ２の制御回路１３は、その問い合わせに対して、「顧客Ｃさんの洗濯物Ｄ」であることを、変調回路１５を介してスイッチ１６のＯＮ、ＯＦＦを行うことで答える。
【００２５】
つまり、スイッチ１６がＯＮすれば、アンテナ部１０のａ点と、グランド部１７のｂ点とが短絡され、逆にスイッチ１６がＯＦＦされればアンテナ部１０のａ点と、グランド部１７のｂ点とが開放され、このようなスイッチ１６のＯＮ、ＯＦＦの繰り返しパターンにより、結論としてＲＦＩＤタグ２のアンテナ部１０から、リーダーライタ５のアンテナ１８に「顧客Ｃさんの洗濯物Ｄ」であることを報告する。
【００２６】
リーダーライタ５では、受信回路１９を介して返信信号が復調回路２０に伝達され、復調した信号により制御部６は「顧客Ｃさんの洗濯物Ｄ」の存在を確認し、制御器４へと報告することになる。
【００２７】
また、制御器４からの指示によりリーダーライタ５の制御部６からＲＦＩＤタグ２に、「顧客Ｃさんの洗濯物Ｄは存在するか？」と、問い合わせが行われたにもかかわらず、「顧客Ｃさんの洗濯物Ｄ」を記憶したＲＦＩＤタグ２が存在しない場合には、返信がないので、制御器４はこの「返信なし」から、「顧客Ｃさんの洗濯物Ｄ」が、この場所（例えば乾燥エリア）には存在しないことを確認する。
【００２８】
なお、この図２において２１は電源回路、２２はクロック回路、２３はマッチング用のコンデンサを示している。
【００２９】
さて以上のようなＲＦＩＤタグ２は、図３のような構成となっている。
【００３０】
図３はＲＦＩＤタグ２の正面図であり、この図３に示すように、本実施の形態のＲＦＩＤタグ２は、表裏面の二枚のシート２４内に水密状態で密封された左右のアンテナ２５、２６（それぞれλ／４型アンテナを構成するものである。）と、このアンテナ２５、２６の制御素子実装部２７の第一の接続端子２７ａ、第二の接続端子２７ｂ間に実装された制御素子３（図２）とを備えている。
【００３１】
また、アンテナ２５、２６は、それぞれ一端側が制御素子実装部２７に接続され、他端側が短絡部Ａ、Ｂで短絡された複数の引出部２５ａ、２５ｂと、引出部２６ａ、２６ｂを有し、短絡部Ａ、Ｂから左右外方向に延長された延長部２５ｃ、２６ｃとを有する。
【００３２】
なお、制御素子実装部２７の第一の接続端子２７ａ、第二の接続端子２７ｂに接続したアンテナ２５の引出部２５ａ、２５ｂ、アンテナ２６の引出部２６ａ、２６ｂで、第一の接続端子２７ａ、第二の接続端子２７ｂ間が開口したロの字状の整合回路２８を形成している。
【００３３】
また、この整合回路２８に接続された引出部２５ａ、２５ｂ、引出部２６ａ、２６ｂは、この引出部２５ａ、２５ｂ、引出部２６ａ、２６ｂの延長部２５ｃ、２６ｃ側よりも線幅を広くし、負荷に対する強度を高めている。
【００３４】
さらに、制御素子実装部２７の両側に設けたアンテナの延長部２５ｃ、２６ｃは図３のごとくメアンダ状としているが、これら両側の延長部２５ｃ、２６ｃは点対称形状とし、指向性の対称性を確保している。
【００３５】
以上のごとく本実施の形態のＲＦＩＤタグ２は、左右のアンテナ２５の引出部２５ａ、２５ｂ、アンテナ２６の引出部２６ａ、２６ｂがそれぞれ２箇所となっており、しかも他端を短絡した枠形状としているので、負荷により断線しにくく、よってＲＦＩＤタグ２としての損傷が抑制されるものとなる。
【００３６】
なお、引出部２５ａ、２６ｂは直線状、引出部２５ｂ、２６ａは屈曲状としており、これにより枠形状を構成している。
【００３７】
また、左右のアンテナ２５の引出部２５ａ、２５ｂ、アンテナ２６の引出部２６ａ、２６ｂをそれぞれ２箇所とすることにより、それぞれのアンテナ２５、２６に二経路が形成されることとなり、その結果として広帯域化が図れるものとなる。
【産業上の利用可能性】
【００３８】
以上のごとく本発明は、アンテナと、このアンテナの制御素子実装部に実装された制御素子とを備え、アンテナは、一端側が制御素子実装部に接続され、他端側が短絡された複数の引出部と、この引出部から延長された延長部とを有する構造としたものであるので、ＲＦＩＤタグの損傷を抑制することができる。
【００３９】
すなわち、本発明のＲＦＩＤタグは、そのアンテナの構造を、一端側が制御素子実装部に接続され、他端側が短絡された複数の引出部と、この引出部から延長された延長部とを有する構造としたものであるので、負荷により断線しやすいアンテナの引出部が複数となったことで、この断線が発生しにくく、その結果としてＲＦＩＤタグの損傷を抑制することができるのである。
【００４０】
したがって、生産管理、物流管理、物品管理等の管理システムに広く活用が期待されるものとなる。
【図面の簡単な説明】
【００４１】
【図１】本発明の実施の形態の管理システムを示す斜視図
【図２】同管理システムの電気的なブロック図
【図３】同管理システムに用いられるＲＦＩＤタグの正面図
【符号の説明】
【００４２】
１    管理物品
２    ＲＦＩＤタグ
３    制御素子
３ａ    記憶部
４    制御器
５    リーダーライタ
６    制御部
７，１５    変調回路
８    送信回路
９，１８，２５，２６    アンテナ
１０    アンテナ部
１１    ダイオード
１２，２３    コンデンサ
１３    制御回路
１４，２０    復調回路
１６    スイッチ
１７    グランド部
１９    受信回路
２１    電源回路
２２    クロック回路
２４    シート
２５ａ，２５ｂ，２６ａ，２６ｂ    引出部
２５ｃ，２６ｃ    延長部
２７    制御素子実装部
２７ａ    第一の接続端子
２７ｂ    第二の接続端子
Ａ，Ｂ    短絡部
２８    整合回路
【図１】
2009217670.tif 000003
【図２】
2009217670.tif 000004
【図３】
2009217670.tif 000005